(57)【要約】錠及び鍵の組において、錠は、ラッチを作動するためにバレル内で回転自在のシリンダを含み、このシリンダには、ばねで横方向に押圧されたバーが組み込まれ、このバーはスロット又は突出部を含み、これらのスロット又は突出部は、バーの端部がシリンダの直径内にある位置又はバーのいずれか一方の端部がシリンダを越えて突出し、バレルと係合する位置の最大三つの位置のうちの一つの位置でバーを整合できるように、鍵に設けられた対応するスロット又は突出部と係合するようになっている。これは、ピンタンブラー錠及びラッチエレメントの関連したスロットを通して作動部材を移動することによってラッチ手段を作動する、エレメントの各組のスロットが整合したときに作動部材を通すことができるように二組のラッチエレメントが設けられている種類の錠に適用できる。ラッチエレメントの一方の組は、設定鍵によって位置決めされ、他方の組は対応するアクセス鍵によって位置決めされる。
2005505709.tif 000002
【特許請求の範囲】
【請求項１】
錠及び鍵の組において、前記錠は、ラッチを作動するためにバレル内で回転自在のシリンダを含み、前記シリンダには、ばねで横方向に押圧されたバーが組み込まれ、このバーはスロット又は突出部を含み、これらのスロット又は突出部は、前記バーの端部が前記シリンダの直径内にある位置又は前記バーのいずれか一方の端部が前記シリンダを越えて突出し、前記バレルと係合する位置の最大三つの位置のうちの一つの位置でバーを整合できるように、鍵に設けられた対応するスロット又は突出部と係合するようになっている、錠及び鍵の組。
【請求項２】
請求項１に記載の錠及び鍵の組において、前記錠は、細長い部材をラッチエレメントの関連したスロットに通すことができる場合にラッチ手段を作動できる種類の錠であり、前記ラッチエレメントは、鍵によって位置決めされる、錠及び鍵の組。
【請求項３】
請求項１又は２に記載の錠及び鍵の組で使用できる一組の鍵。
【請求項４】
請求項２に記載の錠及び鍵の組において、前記錠は、細長い部材をラッチエレメントの関連したスロットに通すことができる場合にラッチ手段を作動できる種類の錠であり、前記ラッチエレメントは二組設けられており、そのため、エレメントの各組のスロットが整合したとき、作動部材を通すことができ、ラッチエレメント一方の組は、錠を効果的にプログラムするセッターによって位置決めされ、他方の組は、各組の対応するエレメントのスロットを整合するため、前記セッターと対応する形状の鍵によって位置決めされる、錠及び鍵の組。
【請求項５】
請求項４に記載の錠及び鍵の組で使用可能な鍵及びセッターの組。
【請求項６】
錠及び鍵において、前記錠は鍵溝を有し、この鍵溝のベースは、前記鍵の前記ベースと平行な長さ方向に延びる直立したリブを持つプレートによって形成され、前記鍵の前記ベース及び長さ方向に延びるリブは、相補的にかみ合う長さ方向に延びる突出部及び凹所を有する、錠及び鍵。
【請求項７】
請求項６に記載の錠及び鍵の組において、前記錠は、細長い部材をラッチエレメントの関連したスロットに通すことができる場合にラッチ手段を作動できる種類の錠であり、前記ラッチエレメントは鍵によって位置決めされる、錠及び鍵の組。
【請求項８】
請求項６に記載の錠及び鍵の組で使用されるようになった取り外し自在の鍵溝ベースプレート。
【発明の詳細な説明】
【技術分野】
【０００１】
本発明は改良錠に関し、更に詳細にはマスターシリンダを本締めできる錠に関する。
【背景技術】
【０００２】
錠の望ましい特徴は、錠を交換せずに鍵を付け替えること（ｒｅｋｅｙ）ができるということである。別の望ましい特徴は、親鍵及び従属鍵を持ち、これらの鍵の一つを交換する必要がある場合に新たな錠機構を必要としない錠である。
【０００３】
米国特許第４，７４１，１８８号には、錠を交換せずに鍵を交換できるピンタンブラー錠が開示されている。この錠は、更に、親鍵及び従属鍵を含んでもよい。ピンタンブラー錠と関連した一つの問題点は、製造費用である。これは、高度な機械加工及び複雑な組み立てを必要とするためである。
【０００４】
米国特許第４，８９８，０１１号には、ピンタンブラー錠に対する変形例の錠が開示されている。この錠もまた、錠の交換を必要としない。鍵でピンを整合させてシリンダを回転できるようにする代わりに、鍵でピンをスロットと整合させ、細長い部材を通してラッチを作動できるようにする。各鍵は、ピンの一方の組を所定位置に設定する関連したビスケット（ｂｉｓｃｕｉｔ）を有し、ピンの第２の組の鍵整合スロットを第１の組のスロットと適合する。ピン毎に一つ以上のスロットを使用することにより、親鍵を使用することが可能であった。
【０００５】
国際公開ＷＯ９８／４０５８９号公報には、一つ又はそれ以上のレベルの親鍵を持つことができ、リキー可能なプログラム可能なシリンダ錠が開示されている。このような錠の製造費用及び製造に必要な機械類の資本は非常に高い。
【０００６】
本締めボルトを持つ錠は、扉の両側から本締めされた場合に危険である。更に、多鍵環境において、扉を親鍵に対して本締めする性能を制限するのが望ましい。ナイトラッチでも、一つの鍵ホルダだけでラッチを二重施錠できるように同様の利点が望ましい。かくして、異なる鍵で幾つかの機能を実施できる錠を提供することが必要とされている。
【０００７】
米国特許第４，５０６，５３０号には、ボルトを第１位置に置くこと及び開錠できる従業員用鍵を持つ錠及びボルトを本締め位置に置くことができる親鍵を持つが開示されている。これは、従業員用鍵の回転を制限するが親鍵によって変位されるドッギングスライドが設けられていることにより達成される。
【０００８】
米国特許第４，７０４，８８４号には、回転プラグ、制御プラグ、及び定置プラグを持つピンタンブラーシリンダ錠が開示されている。第１鍵は、回転プラグを反時計廻り方向に９０°回転でき、第２鍵は制御プラグ及び回転プラグを時計廻り方向に９０°回転でき、親鍵は、回転プラグ、制御プラグ、及び親プラグをいずれかの方向に３６０°回転できる。かくして、三つの異なる機能を三つの異なる鍵で作動できる。適当な鍵を挿入するだけで、所与の方向に回転して所望の機能を得ることができる。この構成は、製造用工具及び機械加工の費用に関し、製造に費用がかかる。
【特許文献１】
米国特許第４，７４１，１８８号
【特許文献２】
米国特許第４，８９８，０１１号
【特許文献３】
ＷＯ９８／４０５８９
【特許文献４】
米国特許第４，５０６，５３０号
【特許文献５】
米国特許第４，７０４，８８４号
【発明の開示】
【発明が解決しようとする課題】
【０００９】
本発明の目的は、同じ錠について様々な機能を別々の鍵で実行できるようにする機構を提供する安価な錠を提供することである。
【課題を解決するための手段】
【００１０】
この目的のため、本発明は、錠及び鍵の組において、錠は、ラッチを作動するためにバレル内で回転自在のシリンダを含み、シリンダには、横方向に押圧されたバーが組み込まれ、このバーはスロット又は突出部を含み、これらのスロット又は突出部は、バーの端部がシリンダの直径内にある位置又はバーの各端の一方がシリンダを越えて突出し、バレルと係合する位置の最大三つの位置のうちの一つの位置でバーを整合できるように、鍵に設けられた対応するスロット又は突出部と係合するようになっている、錠及び鍵の組を提供する。
【００１１】
このことは、利用可能な機能が三つの異なる鍵に割り振られており、これらの各々が横バーを異なる機能と対応する別の位置に置くということを意味する。異なる二つの鍵だけを必要とする場合には、横バーは、二つの位置、即ちシリンダ周囲と同時に終端する位置及び一方の側だけから延びる位置しかないように寸法を定めることができる。
【００１２】
横バーがシリンダの直径と同時に終端する場合には、シリンダをバレルから取り外すことができ、これによりシリンダを調節したり交換したりできる。本発明は、特に、錠が、細長い部材をラッチエレメントの関連したスロットに通すことができる場合にラッチ手段を作動できる種類の錠であり、ラッチエレメントは、鍵によって位置決めされる、錠装置に適用できる。
【００１３】
この種の鍵は、米国特許第４，８９８，０１１号に記載されており、一つ以上のレベルで親鍵を使用できる。同特許に触れたことにより、この特許に開示された内容は本明細書中に含まれたものとする
横バーの端部がシリンダの一端を越えて延びている場合には、シリンダを回転させることによりラッチを作動できる。これは、全ての鍵ホルダに共通した機能である。
横バーの端部が反対方向に延びている場合には、適当な鍵でシリンダを回転させることにより、本締めボルト又はナイトラッチを掛けるといった別の錠機能を作動できる。親鍵にもこの機能がある。かくして横バーを最大三つの位置のうちの一つの位置に移動できる。横バーの端部がシリンダ周囲を越えて延びる二つの位置の各々により、シリンダ内での鍵の回転方向に応じて二つの可能な機能を実行できる。かくして、横バーについて可能な三つの位置から、実行可能な五つの機能があると考えられる。これは、シリンダを電子作動式の錠で使用した場合に容易に達成される。
【００１４】
この構成は、ピンタンブラー錠のシリンダで使用できる。好ましくは、細長い部材をラッチエレメントの関連したスロットに通すことができる場合にラッチ手段を作動できる種類の錠で使用され、ラッチエレメントは二組設けられており、そのため、エレメントの各組のスロットが整合したとき、作動部材を通すことができ、ラッチエレメント一方の組は、錠を効果的にプログラムするセッター（ｓｅｔｔｅｒ）によって位置決めされ、他方の組は、各組の対応するエレメントのスロットを整合するため、セッターと対応する形状の鍵によって位置決めされる。これは、米国特許第４，８９８，０１１号に記載された種類の錠である。シリンダを取り外したとき、ビスケット即ちプログラム可能なセッターを交換できる。このことは、シリンダの取り外しに使用できる鍵がコード変更鍵であるということを意味する。
【００１５】
本発明の別の特徴では、錠及び鍵において、錠は鍵溝を有し、この鍵溝のベースは、鍵のベースと平行な長さ方向に延びる直立したリブを持つプレートによって形成され、鍵のベース及び長さ方向に延びるリブは、相補的にかみ合う長さ方向に延びる突出部及び凹所を有し、ベースプラグを錠から取り外すことができる、錠及び鍵が提供される。これは、リキー作業の部分として交換できる錠の交換可能な構成要素を提供する。これは、ラッチエレメントの構成によって提供される組み合わせに加えて新たな組み合わせ範囲を提供する。
【００１６】
米国特許第４，８９８，０１１号に開示されたコーディングシステムを使用する本発明の好ましい実施例を添付図面を参照して説明する。
【発明を実施するための最良の形態】
【００１７】
［実施例］
図１及び図３の二つの錠のラッチ機構は従来の機構であり、商業的に入手できる錠機構に基づいており、そのため、シリンダ及びその構成要素を使用して現存のシリンダと交換できる。
【００１８】
鍵コードシリンダは、ばね上プレート１３０及び底プレート１３５によって互いに保持された端プレート４０及び５０によって画成され、これらは全てバレル６０内に嵌着する。このバレルは、図１の本体１０又は図３に示すコーン１５６に嵌着する。底プレート１３５は、端プレート４０及び５０を固定するように機能するばかりでなく、セッター（ｓｅｔｔｅｒ）及び鍵用の鍵溝のフロアとしても作用する。バレル６０は固定され、ばね６５の周囲が以下に説明するようにラッチ機構の部分として機能する。鍵コードシリンダは、爪７０及びピン配置側プレート９０が画成するコーディング区分を含む。爪の外面には楔突出部７１が組み込まれており、この突出部は、シリンダが中立位置にあるとき、バレル６０のウィンドウ６２を通って突出する。コーディング区分は、ラッチピン１２０の二つの列３２及び３３で形成されている。これらのラッチピンは、分離プレート３４によって分離されており、ピン配置プレート９０と１００との間に保持される。プレート１００には、Ｔバー１１０を通すための細長いスロット１０２が設けられている。ピン１２０は、図１２でわかるように、Ｔバースライド即ちガイド８０の溝８５内に保持され、ピン配置プレート１００の細長いスロット１０２を通過するＴバー１１０を通すためのコーディングスロット１２２を各々有する。Ｔバースライド８０（図８参照）にはばね８４が組み込まれる。これらのばね８４は、Ｔバースライド８０の側アーム８１の溝８２に嵌着される。これらのばね８４は、ねじ１３２の端部に当接する。これらのねじは、上プレート１３０をコードシリンダ端４０及び５０に取り付けるのにも役立つ。ばね８４はスライド８０をピン配置プレート９０から遠ざかる方向に押圧する。Ｔバースライドには、Ｔバー１１０を案内するための溝８５が設けられている。Ｔバー１１０（図１１参照）の端部には、錠の開錠及び不正開錠（ピッキング）を困難にするため、Ｖスロット１１１でノッチが形成されている。錠を不正開錠しようとすると、ピンが上方に押圧され、図１２に示すように、Ｖスロットによって形成されたノッチがコーディングスロット１２２の真上及び真下にある溝１２８の一つと係合する。これにより、錠が固着し、不正開錠を行う者を苛々させる。
【００１９】
ピン１２０（図１２参照）は、各ピンの円筒形ばねチャンバ１２４に各々嵌着され且つばね上プレート１３０に当接したばね１２３によって下方に押圧される。ピン１２０の押圧に一枚のリーフばねを使用することは本発明の範疇に含まれる。図示のように、コーディングスロット１２２は各ピンの壁に形成されている。これらのピンは次のピンと当接し、Ｔバーを通すための包囲された溝を形成する。これにより各ピンの幅及び各ピン列の長さが小さくなる。しかしながら、完全に包囲された穴を受け入れるために一つ又はそれ以上の広幅のピンを含むことは本発明の範疇に含まれる。
【００２０】
鍵穴４１に入れた鍵２８（図２参照）で端プレート４０及び５０を回すことにより、爪７０（図７参照）の楔状突出部７１の傾斜面を固定されたバレル６０の円筒形の壁と係合させ、Ｔバー１１０をピン配置プレート９０に向かって押すことができる。ピン１２０の列３２及び３３のスロット１２２が整合している場合には、Ｔバーがこれらのスロットを通って移動し、プレート９０に当接し、かくしてコーディングシリンダを回転させることができる。駆動部材として機能する端プレート５０を回転させることにより、ラッチアクチュエータ１５２（図１参照）のスロット１５３と係合したタング１５０を介してラッチ機構を作動させる。
【００２１】
鍵２８用の鍵溝は、ピン列３２と対応し、コードプログラム用のセッター（図示せず）の鍵溝はピン列３３と対応する。鍵及びセッターは、米国特許第４，８９８，０１１号に記載の方法で漸次位置と適合するため、列３２及び３３の各ピンを持ち上げる適合スロットを有する。鍵を一杯に挿入すると、コーディングシリンダを回転できる。セッターは、端プレート５０のセッタースロット５２を介して挿入され、コーディングシリンダを取り外すことによってしかアクセスできない。セッターは、前プレート４１に設けられたスロットを介して挿入できるが、安全性を追加するため、コーディングシリンダを取り外すことによってしかアクセスできない端プレート５０を介するアクセスを設けるのが好ましい。
【００２２】
鍵２８及びセッター用の鍵溝を画成する底プレート１３５は、鍵とセッターとの間に入る直立リブ１３６を有する。このリブ１３６には、長さ方向リブ又は溝が設けられており、これらのリブ又は溝は、鍵２８及びセッターの相補的なリブ又は溝と係合し、鍵及びセッターが正しいことを保証する別の手段として作用する。ブローチ設計が異なり、直立リブ１３６に設けられた長さ方向リブ及び溝の構成が異なるということは、全ての新たなセッター及び鍵が相補的ブローチ構成を備えていなければならないということを意味する。これは、ピンの配置によって提供されるのに加えて新たな範囲の組み合わせを提供し、錠の様々なモデルに使用できる。随意であるが、底プレートは、錠の交換自在の構成要素を提供するため、取り外し自在であってもよく、リキー作業の部分として交換できる。
【００２３】
鍵２８が行うことができる機能は、図２に示すように、機能スライド２０との相互作用で決まる。スライド２０には、ばね２１を収容する溝２２が設けられている。ばね２１は、溝２２の端部内に着座した爪７０（図７参照）のフランジ７３によって押圧される。スライド２０に切り込んだスロット２５、２６、及び２７は、図２に示すように、鍵２８Ａ、２８Ｂ、及び２８Ｃに設けられた対応するスロットに着座する。鍵２８がひとたび挿入されると、スライド２０は、端面４０に対し、スライドの端部が端面４０の周囲にくるように、又はその端部２３、２４の一方が端面４０の周囲を越えて延びるように位置決めされる。スロット２５を持つ鍵２８Ａは、フランジ２３がコーディングシリンダの周囲を越えて突出しラッチ機構に設けられたストップと係合するように、スライド２０を位置決めする。鍵が挿入されていない場合には、ばね２１がスライド２０を押圧し、スライド２０のフランジ２３が同じ位置で突出し、シリンダの取り外しを阻止する。図１のナイトラッチ又は図３の本締まり錠について、鍵２８Ａによりラッチをそのラッチ位置で開閉できる。図１を参照すると、鍵２８Ａは、端部２３がバレル６０に装着したばね６５のフランジ６６と係合するため、シリンダを時計廻り方向にしか回転できない。鍵２８Ａは、進入に使用される一般的な鍵である。
【００２４】
スロット２６を持つ鍵２８Ｂは、スライドの端部２３及び２４がコーディングシリンダの周囲で同時に終端するようにスライドを位置決めする。これにより、主にセッターを交換するためにシリンダを取り外すのにこの鍵を使用できる。
【００２５】
スロット２７が設けられた鍵２８Ｃは、フランジ２４がコーディングシリンダの周囲を越えて突出するようにスライド２０を位置決めする。このフランジ２４は、ナイトラッチ（図１参照）のラッチノブが作動しないようにするラッチ機構のストップと係合するか或いは、本締めボルトをその一杯に延ばした位置（図３参照）に置く。このことは、一つの鍵で本締めボルトの投入ができるということを意味する。
【００２６】
図１４には、部品点数が少ない変形例の機構が開示されている。鍵２０１を錠本体２１０の鍵穴２０５に挿入する一方、本体２１０の鍵溝２０５とは反対側の面にある鍵溝にセッター２０２を挿入する。
【００２７】
図１に示す実施例と比較した相違点は、
上プレート２３０が、ばね２２３及びピン列２３２及び２３３を良好に収容するように形成されているということ、
Ｔバーガイド２８０が図１の爪７０及びＴバースライド８０と等価であること、
Ｔバーガイド２８０がＴバー３１０を支持し、プレート３００とともにＴバー３１０の移動を案内すること、
上プレートが長さ方向ピン２４０で所定位置に固定されることである。図１４の実施例は、この他は、他の実施例と同様に機能する。
【００２８】
本発明の教示から逸脱することなく、この他の変更を行うことができる。例えば、図１及び図３を参照すると、上プレート１３０、分離プレート３４、及び底プレート１３５は、中空本体区分に嵌着する一つの部品として形成されていてもよい。
【００２９】
以上から、本発明は、様々な鍵で錠内の様々な機能を作動できる鍵装置を提供するということがわかるであろう。セッターにより、コードシリンダを交換する必要なしに錠をリキーできる。コードシリンダ用のセッター、シリンダ取り外し鍵、親鍵、及び必要とされる多くの共通鍵を含む鍵の新たな組によって錠をリキーできる。これらの鍵の各々は、セッターと同じコードを持っていてもよいが、機能スライド２０と相互作用する溝に関して異なっている。錠の可動部品の数が、上文中に説明したように、従来のピンタンブラー錠におけるよりも少ないため、組み立てが容易である。更に、構成要素の大部分を型成形で形成できる。型成形は、ピンタンブラー錠で必要とされる機械加工よりも費用がかからない。
【図面の簡単な説明】
【００３０】
【図１】本発明の一実施例によるナイトラッチ用シリンダ−バレル装置の分解斜視図である。
【図２】本発明で有用な鍵及び横バーの形体を示す概略図である。
【図３】本発明の別の実施例による本締めボルト錠の分解斜視図である。
【図４】鍵プレートの一組の図である。
【図５】鍵シリンダの内端プレートの一組の図である。
【図６】シリンダ本体の一対の図である。
【図７】シリンダ本体内で回転する爪の図である。
【図８】Ｔピン用ガイドの一組の図である。
【図９】Ｔピン案内装置の端部での側プレートの一組の図である。
【図１０】ピン配置プレートの一組の図である。
【図１１】Ｔピンの一対の図である。
【図１２】二組のコーディングピンの一つのピンの図である。
【図１３】二組のピンをカバーするばね上プレートの図である。
【図１４】錠機構の別の実施例の図である。
【符号の説明】
【００３１】
１０  本体              ２８  鍵                    ３２、３３  列
３４  分離プレート      ４０、５０  端プレート      ４１  鍵穴
５０  端プレート        ５２  セッタースロット      ６０  バレル
６２  ウィンドウ        ６５  ばね                  ７０  爪
７１  楔突出部          ８０  Ｔバースライド        ８１  側アーム
８２  溝                ８４  ばね                  ８５  溝
９０、１００  ピン配置側プレート                    １０２  スロット
１１０  Ｔバー          １２０  ラッチピン
１２２  コーディングスロット                        １２３  ばね
１２４  円筒形ばねチャンバ                          １２８  溝
１３０  ばね上プレート                              １３２  ねじ
１３５  底プレート                                  １４０  タング
１５２  ラッチアクチュエータ                        １５３  スロット
１５６  コーン
【国際公開パンフレット】
2005505709.tif 000003
2005505709.tif 000004
2005505709.tif 000005
2005505709.tif 000006
2005505709.tif 000007
2005505709.tif 000008
2005505709.tif 000009
2005505709.tif 000010
2005505709.tif 000011
2005505709.tif 000012
2005505709.tif 000013
2005505709.tif 000014
2005505709.tif 000015
2005505709.tif 000016
2005505709.tif 000017
2005505709.tif 000018
2005505709.tif 000019
2005505709.tif 000020
2005505709.tif 000021
2005505709.tif 000022
2005505709.tif 000023
2005505709.tif 000024
2005505709.tif 000025
2005505709.tif 000026
2005505709.tif 000027
【国際調査報告】
2005505709.tif 000028
2005505709.tif 000029
2005505709.tif 000030
2005505709.tif 000031